(57)【要約】【課題】いずれの位置にある床材でも、他の床材の固定を解除することなく固定解除および再固定可能な固定金具を提供する。【解決手段】ねじ挿通孔を有し、このねじ挿通孔を介して下地材に固定ねじをねじ込むことによってねじ頭部によってねじ挿通孔の周縁部を下地との間で挟着される板状をした固定部と、この固定部の両側から立ち上がる２つの立ち上がり部と、立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、前記固定部が、前記固定ねじの固定を緩めた状態で固定部を２つの立ち上がり部が近づく方向に折り曲げ可能に形成されていることを特徴とする。【選択図】      図１
2011047229.tif 000002
【特許請求の範囲】
【請求項１】
ねじ挿通孔を有し、このねじ挿通孔を介して下地材に固定ねじをねじ込むことによってねじ頭部によってねじ挿通孔の周縁部を下地との間で挟着される板状をした固定部と、
この固定部の両側から立ち上がる２つの立ち上がり部と、
立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、
前記固定部が、前記固定ねじの固定を緩めた状態で固定部を２つの立ち上がり部が近づく方向に折り曲げ可能に形成されていることを特徴とする固定金具。
【請求項２】
固定部が、立ちあがり部に平行かつねじ挿通孔の中心を通り、固定部を折り曲げ可能とする薄肉部を備えている請求項１に記載の固定金具。
【請求項３】
固定部が、立ちあがり部に平行かつねじ挿通孔の中心を通る線で二つに分割されていて、この分割部が固定部を折り曲げ可能とするヒンジを介して連結されている請求項１に記載の固定金具。
【発明の詳細な説明】
【技術分野】
【０００１】
本発明は、根太等の下地上に並設して設けた床材を下地に固定するために用いる固定金具に関する。
【背景技術】
【０００２】
例えば、バルコニー床の形成に用いられるデッキ材とも称される床材の取り付け方法は、一定の目地幅を設けた状態で一定の間隔に配置された根太材に下方から受けられるとともに、根太に固定される。
上記床材の根太への固定方法としては、ビスを直接床板に打ち込んで固定する方法や固定金具を用いる方法が一般的である。
【０００３】
しかしながら、ビス固定は施工が簡単であるが、施工後もビスが直接見える場所にあるため、外観を損ねるということで現在では金具を用いた施工が主流となっている。
【０００４】
一方、固定金具としては、例えば、図７に示すような幅方向の両側面に凹溝部１１０を備えた床材１００の場合、図７及び図８に示すような固定金具２００が用いられている（特許文献１参照）。
この固定金具２００は、図８に示すように、ステンレス鋼などで形成されていて、固定部２１０と、立ち上がり部２２０と、係止部２３０とを備えている。
【０００５】
固定部２１０は、中央にねじ挿通孔２１１が穿設された板状をしている。
立ち上がり部２２０は、固定部２１０の両側から対面するように立ち上がっている。
係止部２３０は、両立ち上がり部２２０の上端から他方の立ち上がり部２２０から離れるように延出するように設けられていて、水平部２３１と、この水平部２３１の先端から折れ曲がる折れ曲がり部２３２とを備えている。
【０００６】
そして、床材１００を下地としての根太３００上に敷き並べるとともに、この固定金具２００を用いて根太３００に固定してバルコニー床等を形成する方法は、以下のようになっている。
（１）最も端に配置される床材１００を根太３００上に載置するとともに、固定金具２００をこの載置された床材１００の凹溝部１１０に一方の係止部２３０が嵌り込むとともに、凹溝部１１０より下側の側面と一方の立ち上がり部２２０とが略当接するように配置したのち、ねじ挿通孔２１１越しに固定部２１０の上方から固定ねじ４００をねじ込む。
すなわち、固定ねじ４００のねじ込みによって、固定部２１０のねじ挿通孔２１１の周囲がねじ頭部と根太３００との間で挟み込まれ、固定金具２００が根太３００に固定される。また、床材１００が、凹溝部１１０内に嵌り込んだ係止部２３０の水平部２３１が、その弾性力によって、水平部２３１と根太３００との間で凹溝部１１０の下側壁が挟み込まれ、床材１００の一方の側縁部が根太３００上に固定される。
（２）隣接して配置される床材１００を、その凹溝部１１０の下側壁が固定された固定金具２００の他方の係止部２３０の水平部２３１の下方に嵌り込むように根太３００上に載置する。
これにより隣接して配置される床材１００の一方の側縁部が根太３００に固定される。
（３）上記（１）と同様の、固定金具２００の固定作業と、上記（２）と同様の、隣接して配置される床材１００の根太３００への載置作業をつぎつぎに繰り返してバルコニー床等を完成する。
【先行技術文献】
【特許文献】
【０００７】
【特許文献１】特開２００４−２７７２４号公報
【発明の概要】
【発明が解決しようとする課題】
【０００８】
しかし、上記固定金具２００では、床材１００を根太３００の長軸方向の一方から他方に向かって順番に取り付けを行うようになっていることから、取り外し時には取り付けた方向と逆から順に外していく必要がある。そのため、床材１００と床材１００との目地部分にものを落とし、落としたものを目地部分から取り出せない場合や、破損によって床材１００の１つを交換する必要が生じた場合でも、対象となる目地部分の床材１００や、交換が必要な床材１００に達するまで、端から順次床材１００を取り外していく必要がある。したがって、作業に手間がかかるとともに、時間も費やすこととなる。
【０００９】
本発明は、上記事情に鑑みて、いずれの位置にある床材でも、他の床材の固定を解除することなく固定解除および再固定可能な固定金具を提供することを目的としている。
【課題を解決するための手段】
【００１０】
上記目的を達成するために、本発明にかかる固定金具は、ねじ挿通孔を有し、このねじ挿通孔を介して下地材に固定ねじをねじ込むことによってねじ頭部によってねじ挿通孔の周縁部を下地との間で挟着される板状をした固定部と、この固定部の両側から立ち上がる２つの立ち上がり部と、立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、前記固定部が、前記固定ねじの固定を緩めた状態で固定部を２つの立ち上がり部が近づく方向に折り曲げ可能に形成されていることを特徴としている。
【００１１】
本発明において、固定部を折り曲げ可能にする方法としては、特に限定されないが、例えば、立ちあがり部に平行かつねじ挿通孔の中心を通り、固定部を折り曲げ可能とする薄肉部を設ける方法や、固定部を立ちあがり部に平行かつねじ挿通孔の中心を通る線で二つに分割された、２つの分割部で構成し、この分割部と分割部とをヒンジを介して連結してヒンジ部分で折り曲げ可能とする方法が挙げられる。
【００１２】
本発明の固定金具の材質は、本発明の目的を達成できれば、特に限定されないが、ばね鋼、ステンレス鋼等を用いることが好ましい。
【００１３】
また、本発明の固定金具によって固定される床材としては、特に限定されないが、例えば、合成樹脂、無機材料、木材、これらの複合材料等からなるものが挙げられるが、ポリプロピレン等の熱可塑性樹脂に木粉を混合した樹脂組成物を押出成形等によって成形した合成木材が好適である。
【発明の効果】
【００１４】
以上のように、本発明にかかる固定金具は、ねじ挿通孔を有し、このねじ挿通孔を介して下地材に固定ねじをねじ込むことによってねじ頭部によってねじ挿通孔の周縁部を下地との間で挟着される板状をした固定部と、この固定部の両側から立ち上がる２つの立ち上がり部と、立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、前記固定部が、前記固定ねじの固定を緩めた状態で固定部を２つの立ち上がり部が近づく方向に折り曲げ可能に形成されているので、取り外しが必要になった床材の両側縁を固定する固定金具のうち、一方の側縁を固定する固定金具の固定ねじを緩めたのち、床材の固定解除された側の側縁を上方に持ち上げれば、固定金具の固定部の折れ曲がり、係止部の凹溝部への係合が解除される。したがって、１つの床材のみを取り外すことができる。一方、再び床材を取り付ける場合は、固定ねじを緩めていない側の固定金具の係止部が床材の一方の側縁の凹溝部に嵌り込むように根太上に載置したのち、固定部の折れ曲がりを解消しつつ固定ねじをねじ込めば、床材の他方の側縁の凹溝部内に係止部が嵌り込み他方の端縁も根太に固定される。
すなわち、この固定金具を用いれば、いずれの位置にある床材でも、他の床材の固定を解除することなく固定解除および再固定可能となる。
【図面の簡単な説明】
【００１５】
【図１】本発明にかかる固定金具の第１の実施の形態の斜視図である。
【図２】図１の固定金具の正面図である。
【図３】図１の固定金具を用いた床材の固定状態をあらわす断面図である。
【図４】図１の固定金具の固定部を折り曲げて床材への固定を解除する状態をあらわす断面図である。
【図５】本発明にかかる固定金具の第２の実施の形態の斜視図である。
【図６】図５の固定金具を用いた床材の固定状態をあらわす平面図である。
【図７】従来の固定金具を用いた床材の固定状態をあらわす断面図である。
【図８】従来の固定金具の斜視図である。
【発明を実施するための形態】
【００１６】
以下に、本発明を、その実施の形態をあらわす図面を参照しつつ詳しく説明する。
図１及び図２は、本発明にかかる固定金具の第１の実施の形態をあらわしている。
【００１７】
図１及び図２に示すように、この固定金具１ａは、ばね鋼板あるいはステンレス鋼板を打ち抜きプレス加工することによって形成されていて、固定部１１と、２つの立ち上がり部１２と、２つの係止部１３とを備えている。
【００１８】
固定部１１は、平板状をしていて、図１に示すように、中央にねじ挿通孔１１ａを備えているとともに、ねじ挿通孔１１ａの中心を通り、後述する立ち上がり部１２に平行に薄肉部１１ｂが設けられている。
２つの立ち上がり部１２は、それぞれ固定部１１の対向する一対の側縁から略垂直に立ち上がるように設けられていて、固定部１１からその上端までの高さが固定される床材２の凹溝部の下側壁の厚さと略同じになっている。
【００１９】
２つの係止部１３は、それぞれ水平部１３ａと折れ曲がり部１３ｂとを備えている。
水平部１３ａは、一方の立ち上がり部１２の上端で他方の立ち上がり部１２から遠ざかるように水平に延出している。
折れ曲がり部１３ｂは、水平部１３ａの先端から他方の立ち上がり部に向かって斜め上方に延出するように設けられている。
【００２０】
そして、この固定金具１ａは、図３に示すように、前述の従来の固定金具２００と同様にして、床材２を下地としての根太３に固定することができる。
一方、床材２と床材２の目地Ｓ内にものが落ち込んだり、床材２が破損したりして、床材２の１つを取り外す必要が生じた場合は、図３に２点鎖線で示すように、床材２と床材２の目地Ｓからドライバー等の工具Ｄの先端部を差し入れ、取り外す床材２の一方の側縁側の固定金具１ａの固定ねじＢを緩める。
【００２１】
つぎに、取り外す床材２の固定ねじＢが緩められた側の端縁を図４に示すように上方に持ち上げると、固定金具１ａの固定部１１は、薄肉部１１ｂが設けられているので、この薄肉部１１ｂに沿って上方に折れ曲がり、係止部１３による床材２の持ち上げた側の凹溝部２１への係合が解除される。
そして、床材２の係合が解除された側の端縁を斜め上方にスライドさせると、床材２の他方の端縁の凹溝部２１への固定金具１ａの係止部１３の係合が解除されて床材２を取り外すことができる。
【００２２】
また、目地Ｓに落ち込んだものを取り除いたのち、再び取り外した床材２を元の場所の固定する、あるいは、破損して取り除いた床材２の後に新しい床材２を固定する場合には、
床材２の一方の側縁を上方に持ち上げ、他方の側縁側を固定ねじＢを緩めていない側の固定金具１ａに向けた状態で根太３上に載せながら、固定ねじＢを緩めていない固定金具１ａ方向にスライドさせ、固定ねじＢを緩めていない固定金具１ａの係止部１３を床材２の凹溝部２１に嵌め込む。
【００２３】
つぎに、固定ねじＢが緩められ、薄肉部１１ｂに沿って折れ曲がった固定金具１ａの係止部１３を避けながら、床材２の一方の側縁側を根太３上に受けさせる。
そして、固定部１１の折れ曲がりを解消させつつ固定ねじＢを根太３にねじ込み、係止部１３を床材２の一方の側縁の凹溝部２１内に臨ませ、かつ、ねじ頭部と根太３との間でねじ挿通孔１１ａの周縁部を挟着することによって再取り付けされたあるいは交換された床材２を根太３に固定する。
【００２４】
この固定金具１ａは、以上のように、他の床材２を取り外さなくても、取り外したい床材２のみを簡単に取り外すことができる。しかも、取り外した床材２の再取り付け、あるいは、新しい床材２と交換を行うことできる。
したがって、目地Ｓ内に落ち込んだものを取り出す作業、あるいは、破損した床材を交換する作業を行う場合に端の床材２から順に取り外す必要がなく、従来に比べ作業性に優れるとともに、作業時間も短縮できる。
【００２５】
図５及び図６は、本発明にかかる固定金具の第２の実施の形態をあらわしている。
図５及び図６に示すように、この固定金具１ｂは、固定部１４がねじ挿通孔１４ｃの中心を通り、立ち上がり部１２に平行な分割線で２つの分割固定部１４ａに分割されていて、これらの分割固定部１４ａがヒンジ１４ｂを介して、立ち上がり部１２が近づく方向に折り曲げ自在に連結されている。そして、その他の構成は、上記固定金具１ａと同様になっている。
すなわち、固定ねじＢをねじ挿通孔１４ｃを通して根太３にねじ込み、ねじ挿通孔１４ｃの周囲をねじ頭部と根太３との間で挟着するようにすれば固定部１４は、ヒンジ１４ｂの部分で折れ曲がることなく、従来の固定金具２００と同様にして床材２を固定できる。
また、固定ねじＢを緩めれば、固定部１４がヒンジ１４ｂの部分で容易に折れ曲がる。したがって、上記の固定金具１ａと同様に、他の床材２を取り外さなくても、取り外したい床材２のみを簡単に取り外すことができる。しかも、取り外した床材２の再取り付け、あるいは、新しい床材２と交換を行うことできる。
【００２６】
なお、本発明は、上記の実施の形態に限定されない。たとえば、上記の実施の形態では、
固定部にねじ挿通孔が１つであったが、長尺の場合、２つ以上設けるようにしても構わない。
また、上記の実施の形態では、薄肉部を設ける、あるいは、固定部を２つの分割固定部で構成し、この分割固定部と分割固定部とをヒンジを介して連結することによって、固定部を折り曲げ可能にしていたが、固定部に小さな孔をミシン目状に多数設け、このミシン目部分に沿って折り曲げ可能となるようにしても構わない。
【００２７】
上記の実施の形態では、床材の側縁部を持ち上げることによって固定部を折り曲げるようにしていたが、床材を持ち上げる前に予めドライバー等の工具で折り曲げるようにしておいても構わない。
【産業上の利用可能性】
【００２８】
本発明の固定金具は、バルコニー床等に用いられる床材を根太等の下地に固定するために用いることができる。
【符号の説明】
【００２９】
１ａ，１ｂ  固定金具
１１  固定部
１１ａ  ねじ挿通孔
１１ｂ  薄肉部
１２  立ち上がり部
１３  係止部
１４  固定部
１４ａ  分割固定部
１４ｂ  ヒンジ
１４ｃ  ねじ挿通孔
２  床材
２１  凹溝部
３  根太（下地）
【図１】
2011047229.tif 000003
【図２】
2011047229.tif 000004
【図３】
2011047229.tif 000005
【図４】
2011047229.tif 000006
【図５】
2011047229.tif 000007
【図６】
2011047229.tif 000008
【図７】
2011047229.tif 000009
【図８】
2011047229.tif 000010